(57)【要約】【課題】使用者が真上を向かずに点眼することができ、操作性が簡便で、カップ部の洗浄が容易な点眼補助具を提供する。【解決手段】本発明の点眼補助具は、把持部とカップ部とを備える。この把持部は、楕円形状の底部を有し、前記底部には、楕円の短径の中心から円周側に偏芯する点眼剤容器挿入用の円形の穴が設けられている。また、カップ部の下面は瞼の上方周縁に接する周縁の曲率が瞼の下方周縁に接する周縁の曲率より大きい。これにより、点眼剤容器の挿入位置を底部の中心位置より、ずらすことができる。使用者は、真上を向かなくても、４５°程度に首を曲げることにより、点眼することができる。【選択図】図１
2019118760.tif 000002
【特許請求の範囲】
【請求項１】
把持部とカップ部とを備える点眼補助具であって、
前記把持部は、円形状または楕円形状の底部を有し、前記底部には、円の直径または楕円の中心から短径側の円周側の近傍に偏芯する点眼剤容器挿入用の円形の穴と、立設される前記底部の中心と前記穴の中心とを結ぶ線上にある円周の近縁に１対の持ち手が設けられており、前記１対の持ち手は、長手方向において長さが異なり、前記円形の穴に近い円周近縁に長手方向における長さが長い持ち手が立設され、前記円形の穴から遠い円周近縁に長手方向における長さが短い持ち手が立設されており、
前記カップ部は、下面が開放した略円筒状であり、前記カップ部の上面は、前記円形の穴に対応し、点眼剤容器の首部分を保持する逆テーパ状の穴と、前記カップ部の周壁と前記逆テーパ状の穴の周囲にドーナツ状の溝とが設けられており、ドーナツ状の溝において前記把持部の前記円盤底部と嵌合し、前記下面は瞼の上方周縁に接する周縁の曲率が瞼の下方周縁に接する周縁の曲率より大きいことを特徴とする、点眼補助具。
【請求項２】
前記長手方向における長さが長い持ち手は、２つの折り曲がり部を有し、前記底部から略垂直に立ち上がり、前記底部の周縁より外側に折り曲がり、前記底部の周縁より内側に折り曲がっており、
前記長手方向における長さが短い持ち手は、少なくとも１つの折り曲がり部を有し、前記底部から略垂直に立ち上がり、前記底部の周縁より外側に折り曲がっている、請求項１に記載の点眼補助具。
【請求項３】
前記長手方向における長さが短い持ち手は、親指用の持ち手であり、前記長手方向における長さが長い持ち手は、親指以外の指用の持ち手である、請求項１または２に記載の点眼補助具。
【請求項４】
前記持ち手には、指当て部として凹部が設けられ、それぞれが滑り止め加工されている、請求項１ないし３のいずれかに記載の点眼補助具。
【請求項５】
前記点眼剤容器挿入用の円形の穴に、位置決めリブが設けられている、請求項１〜４のいずれかに記載の点眼補助具。
【発明の詳細な説明】
【技術分野】
【０００１】
本発明は、点眼容器に取り付けられる点眼補助具に関するものである。
【背景技術】
【０００２】
点眼剤を用いる場合に、使用者は顔を上に向けて、眼球上方に点眼剤容器を位置して点眼剤を滴下する。しかし、眼球上方に点眼剤容器を正確に位置させることが容易でないことから、瞼周辺に当接させる点眼補助具が提案されている（例えば、特許文献１参照）。
【０００３】
このような従来の点眼補助具は、使用者が真上を向いて、垂直方向から点眼剤を滴下する。しかし、老人などの中には、真上を向きづらい人がいる。このような場合には、従来の点眼補助具を用いても、うまく点眼できない。
【０００４】
この問題を解決するために、例えばカップ部の目に面する側が目の周縁に沿った横長形状になった開口部が形成されている点眼補助具が提案されている（例えば、特許文献２参照）。しかし、この文献の例では、点眼は斜め上方から行うため、左右両眼で点眼補助具を持ち変える必要などがあり、操作性に問題がある。また、カップ部内部に補強リブが設けられている。このため、カップ部の洗浄の際に、十分に洗浄できないという問題がある。
【先行技術文献】
【特許文献】
【０００５】
【特許文献１】特開２０１２−６５８７４号公報
【特許文献２】特開２００８−２９５８８０号公報
【発明の概要】
【発明が解決しようとする課題】
【０００６】
従って、使用者が真上を向かずに点眼することができ、操作性が簡便で、カップ部の洗浄が容易な点眼補助具を提供する必要がある。
【課題を解決するための手段】
【０００７】
本発明は、把持部とカップ部とを備える点眼補助具であって、前記把持部は、円形状または楕円形状の底部を有し、前記底部には、円の直径または楕円の中心から短径側の円周側の近傍に偏芯する点眼剤容器挿入用の円形の穴と、立設される前記底部の中心と前記穴の中心とを結ぶ線上にある円周の近縁に１対の持ち手が設けられており、前記１対の持ち手は、長手方向において長さが異なり、前記円形の穴に近い円周近縁に長手方向における長さが長い持ち手が立設され、前記円形の穴から遠い円周近縁に長手方向における長さが短い持ち手が立設されており、前記カップ部は、下面が開放した略円筒状であり、前記カップ部の上面は、前記円形の穴に対応し、点眼剤容器の首部分を保持する逆テーパ状の穴と、前記カップ部の周壁と前記逆テーパ状の穴の周囲にドーナツ状の溝とが設けられており、ドーナツ状の溝において前記把持部の前記円盤底部と嵌合し、前記下面は瞼の上方周縁に接する周縁の曲率が瞼の下方周縁に接する周縁の曲率より大きいことを特徴とする、点眼補助具である。
【０００８】
本発明の点眼補助具は、把持部とカップ部とを備える。この把持部は、楕円形状の底部を有し、前記底部には、楕円の短径の中心から円周側に偏芯する点眼剤容器挿入用の円形の穴が設けられている。また、カップ部の下面は瞼の上方周縁に接する周縁の曲率が瞼の下方周縁に接する周縁の曲率より大きい。具体的は、瞼の上方周縁に接するカップ部の下面を瞼の下方周縁に接するカップ部の下面より大きくカットする。これにより、点眼剤容器の挿入位置を底部の中心位置より、ずらすことができる。実際の使用に際しては、引用文献１に記載の構造に比べ、点眼剤容器の挿入位置が上方に位置することになる。この結果、使用者は、真上を向かなくても、４５°程度に首を曲げることにより、点眼することができる。
【０００９】
また、点眼剤容器の首部分を保持する逆テーパ状の穴と、逆テーパ状の穴の周囲にドーナツ状の溝とが設けられており、ドーナツ状の溝において把持部の円盤底部と嵌合することにより、カップ部は、把持部に強固に保持される。これにより、カップ部にリブを設けなくても、強度を与えることができる。この結果、カップ部のカップ内が平滑になり、洗浄を容易に行うことができる。
【００１０】
本発明の点眼補助具は、前記長手方向における長さが長い持ち手は、２つの折り曲がり部を有し、前記底部から略垂直に立ち上がり、前記底部の周縁より外側に折り曲がり、前記底部の周縁より内側に折り曲がっており、前記長手方向における長さが短い持ち手は、少なくとも１つの折り曲がり部を有し、前記底部から略垂直に立ち上がり、前記底部の周縁より外側に折り曲がっている。
【００１１】
このような構成とすることにより、実際の使用に際して、使用者は、真上を向かなくても、４５°程度に首を曲げることにより、点眼することができる。
【００１２】
また、本発明の点眼補助具は、前記長手方向における長さが短い持ち手は、親指用の持ち手であり、前記長手方向における長さが長い持ち手は、親指以外の指用の持ち手である。
【００１３】
このような構成とすることにより、親指側の持ち手が点眼補助具の下側に位置することができるので、安定して点眼することができる。
【００１４】
また、本発明の点眼補助具は、前記持ち手には、指当て部として凹部が設けられ、それぞれが滑り止め加工されている。
【００１５】
このような構成とすることにより、使用者がそれぞれ指を当接する位置を容易に認識し、滑らないので、安定して保持することができる。
【００１６】
本発明の点眼補助具は、前記点眼剤容器挿入用の円形の穴に、位置決めリブが設けられている。この結果、把持部とカップ部の嵌合を容易に行うことができる。
【発明の効果】
【００１７】
本発明の点眼補助具は、把持部とカップ部とを備える。この把持部は、楕円形状の底部を有し、前記底部には、楕円の短径の中心から円周側に偏芯する点眼剤容器挿入用の円形の穴が設けられている。また、カップ部の下面は瞼の上方周縁に接する周縁の曲率が瞼の下方周縁に接する周縁の曲率より大きい。これにより、点眼剤容器の挿入位置を底部の中心位置より、ずらすことができる。使用者は、真上を向かなくても、４５°程度に首を曲げることにより、点眼することができる。
【図面の簡単な説明】
【００１８】
【図１】図１は、本発明の点眼補助具の概略構成図である。
【図２（ａ）】図２（ａ）は、本発明の点眼補助具１の把持部２の正面図である。
【図２（ｂ）】図２（ｂ）、本発明の点眼補助具１の把持部２の底面図である。
【図２（ｃ）】図２（ｂ）、本発明の点眼補助具１の把持部２の左側面図である。
【図３（ａ）】図３（ａ）は、本発明の点眼補助具１のカップ部３の正面図である。
【図３（ｂ）】図３（ｂ）は、本発明の点眼補助具１のカップ部３の側面図である。
【図３（ｃ）】図３（ｃ）は、本発明の点眼補助具１のカップ部３の上面図である。
【図３（ｄ）】図３（ｄ）は、Ａ−Ａ‘方向の断面図である。
【図３（ｅ）】図３（ｅ）は、本発明の点眼補助具１のカップ部３の下面図である。
【図４（ａ）】図４（ａ）は、本発明の点眼補助具１において、把持部２とカップ部３の接続した状態での上面図である。
【図４（ｂ）】図４（ｂ）は、図４（ａ）のＢ−Ｂ方向の断面図である。
【図４（ｃ）】図４（ｃ）は、図４（ｂ）の丸で囲んだ部分Ｄの詳細図である。
【図５】図５は、本発明の点眼補助具の把持部の変形例を含む概略構成図である。
【図６】図６は、本発明の点眼補助具１の把持部２の変形例の正面図である。
【図７】図７は、本発明の点眼補助具１の使用態様を説明する図である。
【発明を実施するための形態】
【００１９】
以下に、本発明を図面に基づいて説明するが、本発明は、下記例によって限定を受けるものではない。図１は、本発明の点眼補助具の概略構成図である。図１に示すように、本発明の点眼補助具１は、把持部２とカップ部３とを備えている。
【００２０】
［把持部］
図２は、本発明の点眼補助具１の把持部２を説明する図である。なお、この図においては、楕円形状の底部を有する例で説明するが、円形状の底部であってもよい。図２において、図２（ａ）は正面図、図２（ｂ）は底面図、図２（ｃ）は左側面図を示す。本発明において、把持部２は、図２（ｂ）に示すように楕円形状の底部４を有する。底部４には、楕円の中心から短径側の円周近傍に偏芯する点眼剤容器挿入用の円形の穴５と、立設される前記底部の中心と前記穴の中心とを結ぶ線上にある円周の近縁に１対の持ち手６，７が設けられている。
【００２１】
１対の持ち手６，７は、長手方向において長さが異なり、前記円形の穴５に近い円周近縁に長手方向における長さが長い持ち手６が立設され、前記円形の穴から遠い円周近縁に長手方向における長さが短い持ち手７が立設されている。
【００２２】
図２（ａ）に示すように、長手方向における長さが長い持ち手６は、基端部から先端部に向かって２つの折り曲がり部ａ１、ａ２を有し、底部４から略垂直に立ち上がり、折り曲がり部ａ１において底部４の周縁より外側に折り曲がり、折り曲がり部ａ２において、底部の周縁より内側に折り曲がっている。また、長手方向における長さが短い持ち手７は、基端部から先端部に向かって１つの折り曲がり部ｂ１を有し、前記底部から略垂直に立ち上がり、折り曲がり部ｂ１において底前記底部の周縁より外側に折り曲がっている。図２（ａ）に示すように、底部４と１対の持ち手６，７とは、点眼剤容器を挿入することができるような空間を有するように構成されている。
【００２３】
図２（ａ）に示すように、長手方向における長さが短い持ち手７は、親指用の持ち手であり、長手方向における長さが長い持ち手６は、親指以外の指（人差し指、中指、薬指）用の持ち手である。図２（ａ）、図２（ｃ）に示すように、持ち手６，７には、指当て部８として凹部が設けられ、それぞれが滑り止め加工されている。図２（ａ）に示すように、人差し指用の指当て部８は、ａ１とａ２の間に設けられており、中指と薬指用の指当て部８は、ａ２と先端部の間に設けられている。なお、人差し指、中指、薬指用の持ち手を全てａ２と先端部の間に設ける構成としてもよい。使用に際し、使用者は指当て部８に指を当てて押圧して点眼剤を滴下することができる。指当て部８を押圧すると、持ち手６の内側に設けられた点眼剤容器加圧用突起１６が点眼剤容器を押圧し、点眼剤が滴下される。一方、使用者は指当て部８に指を当てなくでも、指の付け根で持ち手７を把持して指当て部８押圧しても点眼剤を滴下することができる。この結果、指先の力が弱い人であっても、点眼剤を滴下することができる。
【００２４】
図２（ｂ）に示すように、点眼剤容器挿入用の円形の穴５には、リブ９が設けられている。このリブ９により、把持部とカップ部を嵌合する際に、位置決めを容易にすることができる。
【００２５】
底部４の裏面には、底部４の周縁上と、点眼剤容器挿入用の円形の穴５の周囲に壁１０、１１が形成されている。また、図２（ｂ）に示すように、底部４の裏面には、補強リブ１７が設けられている。これにより、点眼時に持ち手を押圧する際に生ずるソリを低減することができる。さらに、図２（ａ）、（ｃ）に示すように、底部４の壁１０は、段差を有する２段構造である。これにより、点眼時に持ち手を押圧する際に把持部２とカップ部３の間に生ずる隙間を防止することができる。
【００２６】
［カップ部］
図３は、本発明の点眼補助具１のカップ部３を説明する図である。なお、この図においては、楕円形状のカップ部３を有する例で説明するが、円形状のカップ部３であってもよい。図３において、図３（ａ）は正面図、図３（ｂ）は側面図、図３（ｃ）は上面図、図３（ｄ）はＡ−Ａ‘方向の断面図、図３（ｅ）は下面図をそれぞれ示す。
【００２７】
図３（ａ）に示すように、カップ部３は、下面１５が開放した略円筒状で、下に向かって傾斜的に広がる形状である。図３（ｃ）、（ｄ）に示すように、カップ部３の上面は、把持部２の円形の穴５に対応し、点眼剤容器の首部分を保持する逆テーパ状の穴１２と、カップ部３の周壁１３と逆テーパ状の穴１２の周囲にドーナツ状の溝１４とが設けられている。
【００２８】
図３（ｂ）に示すように、下面１５は瞼の上方周縁に接する周縁の曲率が瞼の下方周縁に接する周縁の曲率より大きくなるように、カットされている。
【００２９】
図３（ｅ）に示すように、カップ部３の内部には、補強用のリブが設けられていない。したがって、カップ部３の上面の裏側近傍は、平滑な面を構成している。
【００３０】
［把持部とカップ部の接続］
図４は、本発明の点眼補助具１において、把持部２とカップ部３の接続を説明する図である。図４（ａ）は、本発明の点眼補助具１の上面図であり、図４（ｂ）は、図４（ａ）のＢ−Ｂ方向の断面図であり、図４（ｃ）は、図４（ｂ）の丸で囲んだ部分Ｄの詳細図である。
【００３１】
上記したように、把持部２の底部４の裏面には、底部４の周縁上と、点眼剤容器挿入用の円形の穴５の周囲に壁１０、１１が形成されている。一方、カップ部３には、カップ部３の周壁１３と逆テーパ状の穴１２の周囲にドーナツ状の溝１４とが設けられている。
【００３２】
図４（ｃ）に示すように、壁１０、１１とドーナツ状の溝１４とは、嵌合するように構成されている。この結果、本発明の点眼補助具１は、使用の際に、把持部２とカップ部３を嵌合させることで使用することができる。また、このような嵌合構造を作ることにより、カップ部３に強度を与えることができ、カップ部３の内部に補強用リブを必要としない。また、使用後は、把持部２とカップ部３を分離し、カップ部３を容易に洗浄することができる。
【００３３】
把持部２とカップ部３とを接続した状態で、キャップを外した点眼剤を把持部２側から、カップ部３側に挿入する。
【００３４】
本発明の点眼補助具において、用いられる材料は特に制限はない。使用目的により、適した曲げ弾性を有する材料（樹脂など）を適宜使用できる。また、逆テーパ状の穴は公知の点眼剤容器の首部より径方向で小さいものを使用すれば、より強固に嵌合するので好ましい。
【００３５】
［変形例］
図５および図６は、本発明の変形例を示す図である。図５は、本発明の点眼補助具の把持部の変形例を含む概略構成図であり、図６は、本発明の点眼補助具１の把持部２の変形例の正面図である。図５、６に示すように、変形例の把持部２は、長手方向に向かって長さが長い構成をしている。図６に示すように、長手方向における長さが長い持ち手６は、基端部から先端部に向かって２つの折り曲がり部ａ１、ａ２を有し、底部４から略垂直に立ち上がり、折り曲がり部ａ１において底部４の周縁より外側に折り曲がり、折り曲がり部ａ２において、底部の周縁より内側に折り曲がっている。また、長手方向における長さが短い持ち手７は、基端部から先端部に向かって２つの折り曲がり部ｂ１、ｂ２を有し、前記底部から略垂直に立ち上がり、折り曲がり部ｂ１において底前記底部の周縁より外側に折り曲がり、さらに折り曲がり部ｂ２において底前記底部の周縁より外側に折り曲がっている。図６に示すように、底部４と１対の持ち手６，７とは、点眼剤容器を挿入することができるような空間を有するように構成されている。
【００３６】
図６に示すように、長手方向における長さが短い持ち手７は、親指用の持ち手であり、長手方向における長さが長い持ち手６は、親指以外の指（人差し指、中指、薬指）用の持ち手である。これらの点を除けば、上記の点眼補助具と同様である。
【００３７】
［点眼補助具の使用］
図７は、本発明の点眼補助具１の使用態様を説明する図である。この図においては、説明のため、指の部分を省略している。また、実際には、カップ部３を瞼の上縁近傍に当接するが、当接していない状態で説明する。長手方向における長さが長い持ち手６側のカップ部３の下面１５を瞼の上縁近傍に当接すると、使用者は、略４５°首をそらすだけで、点眼することができる。また、下面１５は瞼の上方周縁に接する周縁の曲率が瞼の下方周縁に接する周縁の曲率より大きく、点眼剤容器の位置が長手方向における長さが長い持ち手６側に設けられているため、カップ部３を瞼の上縁近傍に当接すると、瞼の上方周縁に接する周縁と瞼の下方周縁に接する周縁の交点付近に点眼剤を滴下させることができる。
【産業上の利用可能性】
【００３８】
使用者が真上を向かずに点眼することができ、操作性が簡便で、カップ部の洗浄が容易な点眼補助具を提供することができる。
【符号の説明】
【００３９】
１    点眼補助具
２    把持部
３    カップ部
４    底部
５    点眼剤容器挿入用の円形の穴
６    持ち手
７    持ち手
８    指当て部
９    リブ
１０    底部４の周縁上の壁
１１    点眼剤容器挿入用の円形の穴５の周囲の壁
１２    逆テーパ状の穴
１３    カップ部の周壁
１４    溝
１５    下面
１６    点眼剤容器加圧用突起
１７    補強リブ
【図１】
2019118760.tif 000003
【図２（ａ）】
2019118760.tif 000004
【図２（ｂ）】
2019118760.tif 000005
【図２（ｃ）】
2019118760.tif 000006
【図３（ａ）】
2019118760.tif 000007
【図３（ｂ）】
2019118760.tif 000008
【図３（ｃ）】
2019118760.tif 000009
【図３（ｄ）】
2019118760.tif 000010
【図３（ｅ）】
2019118760.tif 000011
【図４（ａ）】
2019118760.tif 000012
【図４（ｂ）】
2019118760.tif 000013
【図４（ｃ）】
2019118760.tif 000014
【図５】
2019118760.tif 000015
【図６】
2019118760.tif 000016
【図７】
2019118760.tif 000017